(57)【特許請求の範囲】
【請求項１】
閉弁動作させるための各種異なる状態を個別に検出する複数の検出手段を有し、前記複数の検出手段から出力された各種検出信号に基づき前記遮断弁の動作状況を監視する弁監視装置において、
前記遮断弁を作動させるのに障害となる異常が検出された場合に入力される検出信号や前記複数の検出手段からの各種検出信号が入力された場合に、閉弁動作前、閉弁動作後の前記各種検出信号に対応する情報と当該情報の入力順位とを対応付けて前記遮断弁の動作記録として記憶する記憶手段と、
該記憶手段に記憶された前記遮断弁の動作記録を前記記憶手段より読み出し、閉弁動作前、閉弁動作後の時系列的な報知を行なう報知手段と、
を備えてなることを特徴とする弁監視装置。
【発明の詳細な説明】
【０００１】
【発明の属する技術分野】
本発明は弁監視装置に係り、特に流体が流れる管路に配設された弁の開閉動作原因を確認できるよう構成した弁監視装置に関する。
【０００２】
【従来の技術】
都市ガス等を給送するガス管路には、圧力制御弁等と共に緊急時に管路を遮断する遮断弁が配設されている。この種の遮断弁は、例えば地震、火災、ガス流出による急激な圧力低下等が生じた場合、緊急閉弁動作を行って管路を遮断する。
【０００３】
これにより、２次災害の発生を防止していた。そのため、遮断弁は、地震センサ、火災センサ、圧力センサ等からの検出信号をトリガとしてアクチュエータが駆動されて自動的に閉弁動作する構成のものと、各センサからの検出信号により作業員が手動操作により閉弁させる手動式のものとがある。
【０００４】
そして、遮断弁の動作状況の確認及び遮断弁が管路を遮断した場合の原因究明を容易にするため、弁監視装置が配設されている。従来の弁監視装置は、制御盤上に各センサ毎の表示ランプ、弁の開閉状態を表示する表示ランプや断線、停電の発生を表示する表示ランプ等が配設されている。この弁監視装置では、各センサからの検出信号により該当する表示ランプ（ＬＥＤ）を点灯させる構成であるため、点灯した表示ランプをチェックすることにより現在の状況を確認することができる。
【０００５】
【発明が解決しようとする課題】
しかしながら、従来の弁監視装置は、遮断弁が閉弁動作した場合、各センサからの検出信号に基づいて該当する表示ランプを点灯させるだけなので、現在の遮断弁の動作状況を確認することはできるものの、何時どのような理由で閉弁動作したのかを判断することができなかった。
【０００６】
そのため、従来は、複数の現象が時系列的に発生した場合、どの現象が原因で遮断弁が閉弁したのか判断できず、遮断弁により管路が遮断された場合の対策が遅れたり、各センサから検出される複数の現象のうち最初に発生した原因を特定することが難しいといった問題があった。
【０００７】
そこで、本発明は上記問題を解決した弁監視装置を提供することを目的とする。
【０００８】
【課題を解決するための手段】
本発明は、閉弁動作させるための各種異なる状態を個別に検出する複数の検出手段を有し、前記複数の検出手段から出力された各種検出信号に基づき前記遮断弁の動作状況を監視する弁監視装置において、
前記遮断弁を作動させるのに障害となる異常が検出された場合に入力される検出信号や前記複数の検出手段からの各種検出信号が入力された場合に、閉弁動作前、閉弁動作後の前記各種検出信号に対応する情報と当該情報の入力順位とを対応付けて前記遮断弁の動作記録として記憶する記憶手段と、
該記憶手段に記憶された前記遮断弁の動作記録を前記記憶手段より読み出し、閉弁動作前、閉弁動作後の時系列的な報知を行なう報知手段と、
を備えてなることを特徴とするものである。
【０００９】
従って、本発明によれば、遮断弁を作動させるのに障害となる異常が検出された場合に入力される検出信号や複数の検出手段からの各種検出信号が入力された場合に、閉弁動作前、閉弁動作後の各種検出信号に対応する情報と当該情報の入力順位とを対応付けて遮断弁の動作記録として記憶し、記憶された遮断弁の動作記録を記憶手段より読み出し、閉弁動作前、閉弁動作後の時系列的な報知を行なうため、各種検出手段により検出された異常内容と共に遮断弁の動作状況を容易に知ることができ、特に何らかの異常が発生した場合には各種検出手段からの検出信号がいつ出力されたかを確認して異常の原因を正確に把握することができる。
【００１０】
【発明の実施の形態】
以下、図面と共に本発明の一実施例を説明する。尚、図１は本発明になる弁監視装置の構成図である。
弁監視装置１は、管路２に配設された遮断弁３の開閉動作状況を監視するものであり、各種検出手段から入力された検出信号に基づいて遮断弁３の開閉動作状況を表示するものである。遮断弁３は、弁体を閉弁駆動するアクチュエータ部３ａを有する。
【００１１】
各種検出手段としては、管路２の圧力を検出する圧力センサ４と、遮断弁３周辺でのガス漏れを検出するガスセンサ５と、地震発生を検出する感震器６と、即時遮断装置２２とが取り付けられている。また、遮断弁３のアクチュエータ部３ａには、弁体が開弁位置にあることを検出する開弁位置検出スイッチ７と、弁体が閉弁位置にあることを検出する閉弁位置検出スイッチ８とが取り付けられており、これら開弁位置検出スイッチ７及び閉弁位置検出スイッチ８も検出手段として機能する。
【００１２】
弁監視装置１は、各検出手段からの検出信号に基づいて弁動作状況を監視する制御部９と、制御部９が実行する制御プログラム及び各検出信号の入力順位、時刻などの弁の動作記録としての情報を記憶する記憶部１０と、液晶ディスプレイ（ＬＣＤ）等により各検出信号の入力順位、時刻などの弁の動作記録を表示する表示部１１とを有する。
【００１３】
また、弁監視装置１は、表示部１１の表示を順次切り替える表示切替スイッチ釦１２と、警報ブザー１３と、警報ランプ１４と、停電時に点滅する電源ランプ１５と、弁閉時に点灯し弁開時に消灯する弁開閉ランプ１６と、緊急遮断スイッチ釦１７と、ブザー停止スイッチ釦１８と、履歴消去スイッチ釦１９とを有する。
【００１４】
弁監視装置１が遮断弁３の近傍に設けられている場合、作業者はその場で表示部１１の表示から遮断弁３の動作状況を確認することができる。また、弁監視装置１が遮断弁３から離間された場所に取り付けられている場合、作業者は現場に向かう前に遠隔操作により表示部１１の表示から遮断弁３の動作状況を確認することができる。そのため、作業者は、現場に到着後、ただちに遮断弁３の復帰作業と共に異常発生の原因を排除することができる。
【００１５】
図２は弁監視装置１の正面図である。
弁監視装置１のケース２０の内部には、上記制御部９及び記憶部１０が取り付けられている。また、ケース２０の蓋２１には、表示部１１、表示切替スイッチ釦１２、警報ブザー１３、警報ランプ１４、電源ランプ１５、弁開閉ランプ１６、緊急遮断スイッチ釦１７、ブザー停止スイッチ釦１８等が取り付けられている。尚、履歴消去スイッチ釦１９は、誤操作を防止するため、ケース２０の内部に取り付けられており、蓋２１を開けて操作されるように設けられている。。
【００１６】
図３は制御部９が実行する監視処理を説明するためのフローチャートである。制御部９は、ステップＳ１（以下「ステップ」を省略する）において、記憶部１０から監視中データを読み出す。そして、Ｓ２に進み、監視中であることを示す「監視中」を表示部１１に表示させる。
【００１７】
次のＳ３では、センサ入力（各検出手段からの検出信号）が有るかどうかをチェックする。そして、Ｓ３において、センサ入力が無いときは、後述するＳ２５に移行し、センサ入力が有るときは、Ｓ４に進み、入力順位１を記憶部１０に記憶させる。
【００１８】
続いて、Ｓ５で検出信号が入力されたセンサの種類（センサ名）を弁動作記録情報として記憶部１０に記憶させる。次にＳ６に進み、制御部９の時刻用ＩＣ（図示せず）から時刻を読み出し記憶部１０に記憶させる。
Ｓ７では、入力順位１のデータ（情報）を記憶部１０から読み出す。そして、Ｓ８で表示部１１に入力順位１のデータ（情報）を表示させる。次のＳ９では、弁閉信号を遮断弁３のアクチュエータ部３ａに送信する。その後、Ｓ１０に進み、弁閉信号を遮断弁３に出力したことを順位２として記憶部１０に記憶させる。
【００１９】
そして、Ｓ１１では、遮断弁３が閉じたかどうかをチェックする。Ｓ１１において、遮断弁３が閉弁したときは、Ｓ１２に進み、遮断弁３が閉弁したことを弁動作記録情報として記憶部１０に記憶させる。次のＳ１３では、制御部９の時刻用ＩＣから時刻を読み出し記憶部１０に記憶させる。
【００２０】
続いて、Ｓ１４に進み、最新のデータ（情報）を記憶部１０から読み出し、Ｓ１５で記憶部１０から読み出した最新のデータ（情報）を表示部１１に表示させる。これにより、作業者は、遮断弁３が閉弁したときの最後に発生した原因及び発生時間を確認できる。
【００２１】
次のＳ１６では、センサ信号又は異常信号（例えば停電、バッテリー電圧低下、断線、遮断弁異常等の情報）の検出信号が入力されたどうかをチェックする。Ｓ１６において、どの検出信号も入力されていないときは、Ｓ１７に進み、表示切替スイッチ釦１２がオンに操作されたか否かをチェックする。
【００２２】
Ｓ１７において、表示切替スイッチ釦１２がオフであるときは、Ｓ１８に進み、遮断弁３が開弁されて開弁位置検出スイッチ７からの弁復帰信号が入力されたか否かをチェックする。
そして、Ｓ１８において、弁復帰信号が入力されたときは、Ｓ１９に進み、履歴消去スイッチ釦２１がオンに操作されたか否かをチェックする。
【００２３】
このＳ１９において、履歴消去スイッチ釦２１がオフであるときは、再びＳ１６に戻り、Ｓ１６〜Ｓ１９の処理を繰り返す。
尚、上記Ｓ１１において、Ｓ９で弁閉信号が出力されているにも拘わらず、遮断弁３が開弁したままであるときは、Ｓ２０に進み、遮断弁３の閉弁動作異常を弁動作記録情報として記憶部１０に記憶させる。
【００２４】
上記Ｓ１６において、検出信号が入力されているときは、Ｓ２１に進み、最新の入力順位を記憶部１０に記憶させる。続いて、Ｓ２２に進み、信号の種類を記憶部１０に記憶させる。その後、前述したＳ１３に戻り、Ｓ１３以降の処理を実行する。
【００２５】
また、上記Ｓ１７において、表示切替スイッチ釦１２がオンに操作されたときは、Ｓ２３に進み、表示部１１に表示されている一つ前のデータ（情報）を記憶部１０から読み出す。そして、Ｓ１５に戻り、記憶部１０から読み出した一つ前のデータ（情報）を表示部１１に表示させた後、Ｓ１６以降の処理を実行する。
【００２６】
このように、表示切替スイッチ釦１２が１回オンに操作されると、表示部１１に一つ前のデータが表示され、順次過去の弁動作記録情報を確認することができる。そのため、複数のセンサからの検出信号が入力された場合でも最初に作動したセンサの種類を確認できるだけでなく、各センサの検出動作の順番を確認できるので、遮断弁３の開閉動作状況を正確且つ短時間で知ることができる。従って、遮断弁３が閉弁した場合、作業者は表示切替スイッチ釦１２を操作するだけで遮断弁３が閉弁動作した原因を知ることができ、どのような対策あるいは修理等の作業を行えば良いのかをその場で判断することができる。
【００２７】
そのため、何らかの異常が発生して遮断弁３が閉弁した場合でも、表示切替スイッチ釦１２の操作によりその異常内容を表示部１１に表示させて報知することができる。
また、上記Ｓ１８において、弁復帰信号が入力されないときは、Ｓ１６に進み、Ｓ１６以降の処理を実行する。
【００２８】
また、Ｓ１９において、履歴消去スイッチ釦２１がオンであるときは、Ｓ２４に進み、記憶部１０に記憶された各データ（情報）を消去する。
前述したＳ３において、センサ入力が無いときは、Ｓ２５に移行して表示切替スイッチ釦１２がオンに操作されたか否かをチェックする。Ｓ２５において、表示切替スイッチ釦１２がオフであるときは、前述したＳ２に戻り、記憶部１０から読み出した監視中であることを示す「監視中」を表示部１１に表示させた後、Ｓ２以降の処理を繰り返す。
【００２９】
しかし、Ｓ２５において、表示切替スイッチ釦１２がオンであるときは、Ｓ２６に進み、次の初期設定値（例えばバッテリ電圧、感震器６の連動／非連動、圧力センサ４の遅延時間、ガスセンサ５の遅延時間、即時遮断の連動／非連動、現在時刻等）を記憶部１０から読み出す。次のＳ２７では、記憶部１０から読み出した各種の初期設定値のうち一の初期設定値を表示部１１に５秒間表示させる。
【００３０】
その後、Ｓ２８に進み、５秒以内に再び表示切替スイッチ釦１２がオンに操作されたか否かをチェックする。このＳ２８において、５秒以内に再び表示切替スイッチ釦１２がオンに操作されたときは、上記Ｓ２６に戻り、Ｓ２６以降の処理を繰り返す。
【００３１】
すなわち、Ｓ２８で表示切替スイッチ釦１２がオンに操作されると、例えばバッテリ電圧→感震器６の連動／非連動→圧力センサ４の遅延時間→ガスセンサ５の遅延時間→即時遮断の連動／非連動→現在時刻といった具合に表示が順次切り替わる。これにより、定期点検時等のとき、記憶部１０に設定された初期設定値を簡単に確認することができる。
【００３２】
しかし、Ｓ２８において、５秒以内に再び表示切替スイッチ釦１２がオンに操作されないときは、Ｓ１に戻り、「監視中」を表示部１１に表示させる。
図４は表示部１１に表示される一例を示す図である。
図４（ａ）は、上記Ｓ２で表示部１１に表示させる「監視中」を示している。通常、何の異常もない場合は、常に各センサからの信号を監視しているため、「監視中」を表示部１１に表示させている。
【００３３】
図４（ｂ）は、感震器６が地震発生により作動して地震検出信号が入力された場合の一例として「１感震器受信  １０：０７」を示している。この場合、左端の「１」が入力順位（発生順位）を示し、次の「感震器受信」が入力された信号の種類を示し、「１０：０７」が地震検出信号の受信時刻を示している。
【００３４】
図４（ｃ）は、遮断弁３が閉弁した場合の一例として「２遮断弁閉  １０：０７」を示している。この場合、左端の「２」が入力順位（発生順位）を示し、次の「遮断弁閉」が入力された信号の種類及び遮断弁３が閉弁したことを示し、「１０：０７」が遮断弁３の閉弁時刻を示している。
【００３５】
図４（ｄ）は、圧力センサ４が管路２の圧力低下を検出した場合の一例として「３圧力低下受信  １０：０８」を示している。この場合、左端の「３」が入力順位（発生順位）を示し、次の「圧力低下受信」が入力された信号の種類を示し、「１０：０８」が圧力センサ４による圧力低下の検出時刻を示している。
【００３６】
図４（ｅ）は、ガスセンサ５がガス洩れを検出した場合の一例として「４ガス洩れ受信  １０：０９」を示している。この場合、左端の「４」が入力順位（発生順位）を示し、次の「ガス洩れ受信」は入力された信号の種類がガスセンサ５によるガス洩れ検出であることを示し、「１０：０９」がガスセンサ５によるがす洩れ検出時刻を示している。
【００３７】
図４（ｆ）は、停電した場合の一例として「５停電  １０：３０」を示している。この場合、左端の「５」が入力順位（発生順位）を示し、次に停電の発生時刻が「１０：３０」であることを示している。
図４（ｇ）は、バッテリ電圧が低下した場合の一例として「６バッテリ低下  １２：２０」を示している。この場合、左端の「６」が入力順位（発生順位）を示し、次の「バッテリ低下」がバッテリの電圧が予め設定された基準値（閾値）以下に低下したことを示し、「１２：２０」がバッテリ電圧が低下時間を示している。
【００３８】
図４（ｈ）は、断線が発生した場合の一例として「７断線  １２：４５」を示している。この場合、左端の「７」が入力順位（発生順位）を示し、次の「ソレノイド回路」が断線発生箇所を示し、「１２：４５」が断線発生時刻を示している。
【００３９】
図４（ｉ）は、緊急遮断スイッチ釦１７がオンに操作された場合の一例として「１緊急遮断釦  ０８：３１」を示している。この場合、左端の「１」が入力順位（発生順位）を示し、次の「緊急遮断釦」が緊急遮断スイッチ釦１７が操作されたことを示し、「０８：３１」が緊急遮断スイッチ釦１７の操作時刻を示している。
【００４０】
図４（ｊ）は、遮断弁３へ弁閉信号が出力された後、遮断弁３の閉弁位置検出スイッチ８から閉弁位置検出信号が入力されない場合の一例として「１遮断弁異常  ０９：１７」を示している。この場合、左端の「１」が入力順位（発生順位）を示し、次の「遮断弁  異常」が遮断弁３に異常が発生して閉弁できないことを示し、「０９：１７」が遮断弁３の異常発生時刻を示している。
【００４１】
図４（ｋ）は、即時遮断装置２２の信号が入力されて遮断弁３を即時遮断させる場合の一例として「１即時遮断  ０７：０５」を示している。この場合、左端の「１」が入力順位（発生順位）を示し、次の「即時遮断」が遮断弁３を即時遮断させることを示し、「０９：１７」が即時遮断装置２２の信号が入力された時刻を示している。
【００４２】
従って、上記Ｓ１〜Ｓ３で監視中に各センサからの検出信号が入力されると、図４（ａ）〜図４（ｈ）に示されるように、入力順位（発生順位）を更新しながら各検出内容が順次記憶部１０に記憶される。そして、上記Ｓ１７において、表示切替スイッチ釦１２が操作される度に、一つ前の入力順位のデータが表示部１１に表示される。
【００４３】
例えば、図４（ｈ）の「７断線  １２：４５」が表示器１１に表示されているときに、表示切替スイッチ釦１２が１回操作されると、図４（ｇ）の「６バッテリ低下  １２：２０」が表示器１１に表示され、更に表示切替スイッチ釦１２が１回操作されると、図４（ｆ）の「５停電  １０：３０」が表示器１１に表示される。
【００４４】
従って、表示切替スイッチ釦１２が１回も操作されない時は、記憶部１０に記憶された最新のデータ（情報）が表示器１１に表示されるものの、表示切替スイッチ釦１２の操作回数により順次一つ前のデータ（情報）が表示器１１に表示されるため、表示切替スイッチ釦１２の操作回数によって記憶部１０に記憶された全てのデータの記憶内容を表示器１１に表示させて遮断弁３の開閉動作状況を正確且つ短時間で確認できる。
【００４５】
上記のように図４に示す表示例はあくまで一例に過ぎず、他の表示パターンを表示させるようにしても良いのは言うまでもない。
尚、上記実施例では、都市ガスが給送されるラインに配設された場合を一例として挙げたが、これに限らず、他の気体あるいは液体を給送する管路の遮断弁にも適用できるのは勿論である。
【００４６】
また、上記実施例では、遮断弁の動作状況を監視する装置を一例として説明したが、例えば遮断弁以外の弁として圧力制御弁や流量制御弁等の動作状況を監視する装置にも適用できるのは勿論である。
また、上記実施例では、遮断弁の動作状況を表示器に表示させた構成を一例として説明したが、例えば表示器の代わりにプリンタを設け、記憶部に記憶された各データを印字して報知するようにしても良いのは勿論である。
【００４７】
また、上記実施例では、遮断弁がアクチュエータにより駆動されて開弁又は閉弁動作する構成としたが、これに限らず、各センサから検出信号が出力されると作業者が手動操作で遮断弁を閉弁させる構成にも適用できるのは言うまでもない。
【００４８】
【発明の効果】
上述の如く、本発明によれば、遮断弁を作動させるのに障害となる異常が検出された場合に入力される検出信号や複数の検出手段からの各種検出信号が入力された場合に、閉弁動作前、閉弁動作後の各種検出信号に対応する情報と当該情報の入力順位とを対応付けて遮断弁の動作記録として記憶し、記憶された遮断弁の動作記録を記憶手段より読み出し、閉弁動作前、閉弁動作後の時系列的な報知を行なうため、各種検出手段により検出された異常内容と共に遮断弁の動作状況を容易に知ることができ、特に何らかの異常が発生した場合には各種検出手段からの検出信号がいつ出力されたかを確認して異常の原因を正確に把握することができる。よって、遮断弁の周辺で異常が発生しても作業員がその原因を短時間で正確に把握できるので、速やかに異常箇所を修理あるいは応急処置を施すことができる。
【図面の簡単な説明】
【図１】本発明になる弁監視装置の一実施例の概略構成図である。
【図２】弁監視装置の正面図である。
【図３】制御部が実行する監視処理のフローチャートである。
【図４】表示器の表示例を示す図である。
【符号の説明】
１  弁監視装置
２  管路
３  遮断弁
４  圧力センサ
５  ガスセンサ
６  感震器
７  開弁位置検出スイッチ
８  閉弁位置検出スイッチ
９  制御部
１０  記憶部
１１  表示部
１２  表示切替スイッチ釦
１３  警報ブザー
１４  警報ランプ
１５  電源ランプ
１６  弁開閉ランプ
１７  緊急遮断スイッチ釦
１８  ブザー停止スイッチ釦
１９  履歴消去スイッチ釦
２０  ケース
２１  蓋
２２  即時遮断装置
【図１】
0003685883.tif 000002
【図２】
0003685883.tif 000003
【図３】
0003685883.tif 000004
【図４】
0003685883.tif 000005